(57)【要約】【課題】  時刻修正が行われた場合でも、単位時間毎のエネルギー量を各時刻帯に対応させて精度良く表示可能なエネルギー量表示装置を提供する。【解決手段】  表示する時刻帯をさらに短い積算時間に区分して、現在時刻と関連付けることなく積算時間が経過する毎にエネルギー量の積算値を時系列順に記憶しておき、時刻帯別のエネルギー量の表示要求があったときに、現在時刻を基準として最新の積算値情報から順に過去に向けて各積算値情報を各時刻帯に割り当てていき、同じ時刻帯に属する複数の積算値情報を合算することによって各時刻帯におけるエネルギー量を算出する。【選択図】図１
2017026241.tif 000002
【特許請求の範囲】
【請求項１】
複数の時刻帯毎のエネルギー量を表示するための表示部と、前記複数の時刻帯に亘って現在時刻を計時するとともに前記現在時刻の設定操作が可能な計時部と、各時刻帯の時間長さよりも短い所定の積算時間毎のエネルギー量に関する情報であって前記複数の時刻帯に相当する数の情報を前記時刻帯と関連付けることなく時系列順に記憶するための細分化情報記憶部と、前記計時部が計時する現在時刻に基づいて前記積算時間を経過したと判定するか若しくは前記計時部とは別に設けたタイマーが前記積算時間を経過する毎に当該積算時間内におけるエネルギー量に関する情報を前記細分化情報記憶部に最新のものとして記憶させる最新情報記憶処理部と、前記細分化情報記憶部に記憶された複数のエネルギー量に関する情報と前記計時部が計時する現在時刻とに基づいて前記表示部に表示するための前記複数の時刻帯毎のエネルギー量を算出する時刻帯別エネルギー量演算部とを備えていることを特徴とするエネルギー量表示装置。
【請求項２】
請求項１に記載のエネルギー量表示装置において、各時刻帯の時間長さは、前記積算時間の整数倍であることを特徴とするエネルギー量表示装置。
【請求項３】
請求項１又は２に記載のエネルギー量表示装置において、前記時刻帯別エネルギー量演算部は、現在時刻に基づいて前記記憶部に記憶された各エネルギー量に関する情報が属する時刻帯を判定し、同じ時刻帯に属するエネルギー量に関する情報を加算することにより当該時刻帯のエネルギー量を算出するように構成されていることを特徴とするエネルギー量表示装置。
【請求項４】
請求項１，２又は３に記載のエネルギー量表示装置において、前記エネルギー量は、所定のエネルギーの消費量、発生量、送出量又は削減量であることを特徴とするエネルギー量表示装置。
【請求項５】
請求項１〜４のいずれか１項に記載のエネルギー量表示装置を具備する給湯システム。
【発明の詳細な説明】
【技術分野】
【０００１】
本発明は、ガス、電気、水道などのエネルギーの使用量や削減量などのエネルギー量を所定の時刻帯毎に区分して表示するエネルギー量表示装置、並びに、該エネルギー量表示装置を具備する給湯システムに関する。
【背景技術】
【０００２】
この種従来のエネルギー量表示装置として、例えば、下記の特許文献１及び２に開示されたものが知られている。
【０００３】
特許文献１に開示されたエネルギー量表示装置は、ガス消費量の積算処理を行う給湯器と、該給湯器用のリモートコントローラとを備えている。リモートコントローラは、日付を管理するカレンダー機能は具備されておらず、０時０分から２４時間分の現在時刻を計時する時計機能と、３０日分のガス消費量と１３ヶ月分のガス消費量とを記憶するメモリとを備えており、現在時刻が０時０分になると給湯器によって積算処理されたガス消費量を読み出してメモリに記憶するとともに、給湯器に対してガス消費量のリセット要求を送出することにより給湯器におけるガス消費量の積算値をリセットし、３０日分のガス消費量が蓄積されるとこれを合計して１ヶ月分のガス消費量としてメモリに記憶するよう構成されている。かかる構成によって、使用者の操作に応じて日単位の積算データとしてリモートコントローラの表示画面上にガス消費量を表示できるとともに、先月分のガス消費量を３０で割った先月の１日分の平均ガス消費量との比較表示などを行えるようになっている。また、リモートコントローラには２６時間タイマーが具備され、現在時刻が０時０分となったときに前回のリセット要求からの経過時間が２２時間以上２６時間以下でない場合は積算量をメモリに書き込んだり給湯器にリセット要求を送信する動作を実行しないように構成されており、これにより、時刻合わせにより異常に短時間あるいは長時間となった１日の積算量を正規の燃料消費量として取り扱うことを禁止して、時刻合わせに起因する積算量の誤りを回避できるようにしている。
【０００４】
また、特許文献２に開示されたエネルギー表示装置は、ガス使用量や水道使用量などのエネルギー使用量に係る信号を随時出力する給湯器と、該給湯器が出力する信号によりエネルギー使用量を積算して集計するリモコンとを備えている。このリモコンは、「今日」「昨日」等の期間を選択して選択された期間のエネルギー量を表示する表示部と、時分等の時刻を刻む時計機能や年月日等の日付を刻むカレンダー機能を有する計時部と、時刻０分となる毎に時間別集計部で集計した一時間分のエネルギー使用量をその時刻帯と対応させて一時間毎に直近の４８時間分記憶する時間別メモリと、時刻０時となる毎に日別集計部で集計した一日分のエネルギー使用量をその日付と対応させて一日毎に直近の３１日分記憶する日別メモリと、日別メモリに記憶された情報に基づいて上記表示部の表示制御を行う表示制御部とを備えている。
【先行技術文献】
【特許文献】
【０００５】
【特許文献１】特許第３７２６７９１号公報
【特許文献２】特許第４２９４０４９号公報
【発明の概要】
【発明が解決しようとする課題】
【０００６】
上記特許文献１のエネルギー表示装置は、時計機能は２４時間分の現在時刻を計時するのみで日付を管理するカレンダー機能を有していないため、リモートコントローラに直近３０日以内の過去の１日分のガス消費量を表示させることはできるものの、それが何月何日であるかをユーザーに知らせることができず、利便性の悪いものとなっていた。さらに、給湯器側の積算量を記憶するメモリとしては揮発性メモリが用いられており、停電等により給湯器への電源供給が遮断されると記憶されている積算量データも消去され、最悪の場合２４時間分のデータが消失してしまうという問題がある。
【０００７】
一方、上記特許文献２では、計時部が日付をも管理するとともに、時間別メモリ及び日別メモリは、時刻帯又は日付と対応付けてエネルギー使用量を記憶管理するので、特定の日付けのエネルギー使用量の表示を行う際に日付表示をも行うことができる。
【０００８】
しかし、計時部が管理する日付が誤っていた場合、かかる誤った日付とともにエネルギー使用量が関連付けされて記憶管理されるため、例えば７月２５日から７月２７日に修正された場合、７月２６日のデータが存在せず、この日の使用量が０になってしまうという問題がある。また、７月２５日の２３時５９分から７月２６日の０時１分に修正された場合にも、７月２６日の時刻０時となる瞬間が飛ばされることとなるために日別集計部による７月２６日の分の集計が行われないこととなる結果、７月２６日分の使用量が０になってしまう。
【０００９】
本発明は、このような事情に鑑みてなされたものであり、その目的とするところは、時刻修正が行われた場合でも、単位時間毎のエネルギー量を各時刻帯に対応させて精度良く表示可能なエネルギー量表示装置を提供することにある。
【課題を解決するための手段】
【００１０】
本発明は、上記目的を達成するために、次の技術的手段を講じた。
【００１１】
即ち、本発明は、複数の時刻帯毎のエネルギー量を表示するための表示部と、前記複数の時刻帯に亘って現在時刻を計時するとともに前記現在時刻の設定操作が可能な計時部と、各時刻帯の時間長さ（例えば１時間）よりも短い所定の積算時間（例えば１５分や１分）毎のエネルギー量に関する情報であって前記複数の時刻帯に相当する数の情報を前記時刻帯と関連付けることなく時系列順に記憶するための細分化情報記憶部と、前記計時部が計時する現在時刻に基づいて前記積算時間を経過したと判定するか若しくは前記計時部とは別に設けたタイマーが前記積算時間を経過する毎に当該積算時間内におけるエネルギー量に関する情報を前記細分化情報記憶部に最新のものとして記憶させる最新情報記憶処理部と、前記細分化情報記憶部に記憶された複数のエネルギー量に関する情報と前記計時部が計時する現在時刻とに基づいて前記表示部に表示するための前記複数の時刻帯毎のエネルギー量を算出する時刻帯別エネルギー量演算部とを備えていることを特徴とするものである（請求項１）。なお、本発明において、「時刻」とは、日付を含まない時間のみの概念であってもよく、また、日付及び時間を含む概念であってもよい。すなわち、「複数の時刻帯」は、一例では０時〜１時の時刻帯、１時〜２時の時刻帯のように時間のみにより区分されるものであり、他の例においては、７月１日の０時〜１時、７月２日の０時〜１時のように日付と時間とにより区分されるものとすることもできる。
【００１２】
かかる本発明のエネルギー量表示装置によれば、現在時刻が所定の積算時間（例えば１分）を経過する毎にその間のエネルギー量に関する情報を細分化情報記憶部に時系列順に記憶させるが、このとき、各エネルギー量に関する情報を時刻帯と関連付けることはせず、単に時系列順に記憶しておく。そして、集計の必要のあるときに、時刻帯別エネルギー量演算部によって、記憶部に時系列順に記憶された複数のエネルギー量に関する情報を、最新のものから順に現在時刻の時刻帯から順次古い時刻帯に割り当てていくことで、各時刻帯におけるエネルギー量を算出する。したがって、計時部が計時している現在時刻が変更操作されても、変更後の正しい現在時刻に基づいて記憶部に記憶された複数のエネルギー量に関する情報を各時刻帯に順次割り当てることで各時刻帯毎のエネルギー量を算出でき、時刻合わせによって特定の時刻帯のエネルギー量が０になるなどの不具合が生じず、各時刻帯毎のエネルギー量の表示を精度良く行うことができる。
【００１３】
上記本発明のエネルギー量表示装置において、各時刻帯の時間長さは、前記積算時間の整数倍であることが好ましい（請求項２）。各時刻帯の時間長さが積算時間の整数倍でない場合には、２つの時刻帯に跨がる積算時間が生じてしまい、当該積算時間におけるエネルギー量の処理が複雑化するが、整数倍とすることにより２つの時刻帯に跨がる積算時間が生じることを回避して、エネルギー量の集計を単純化することができる。
【００１４】
また、前記時刻帯別エネルギー量演算部は、現在時刻に基づいて前記記憶部に記憶された各エネルギー量に関する情報が属する時刻帯を判定し、同じ時刻帯に属するエネルギー量に関する情報を加算することにより当該時刻帯のエネルギー量を算出するように構成されているものとすることができる（請求項３）。これによれば、簡単な演算処理によって各時刻帯毎のエネルギー量を算出できる。
【００１５】
なお、時刻帯別エネルギー量演算部が算出した各時刻帯毎のエネルギー量を記憶する時刻帯別記憶手段をさらに備えることもでき、これによれば一度算出し記憶しておくことにより各時刻帯毎のエネルギー量の表示処理の度に演算する必要を無くし、演算量の低減を図ることができる。この場合、現在時刻の設定操作が行われた場合など、所定のタイミングで各時刻帯毎のエネルギー量を再度算出して時刻帯別記憶手段に記憶された情報を更新することができる。
【００１６】
また、前記エネルギー量は、ガス、電気、水道などの所定のエネルギーの消費量（使用量など）、発生量（発電システムにおける発電量やコジェネレーションシステムにおける蓄熱量など）、送出量（売電量など）又は削減量（ＣＯ２換算による節電量など）であってよい（請求項４）。
【００１７】
また、本発明は、上記エネルギー量表示装置を具備する給湯システムとして好適に実施できる（請求項５）。より好ましくは、エネルギー量表示装置はリモコンにより構成され、該リモコンにより遠隔操作される給湯器を備える給湯システムとして好適に実施できる。給湯器は、該給湯器において消費される所定のエネルギー量を積算して記憶するエネルギー積算部を備え、前記最新情報記憶処理部は、エネルギー積算部との通信に基づいて最新の積算時間内におけるエネルギー量を取得するとともに前記エネルギー積算部に対して積算値をリセットさせるリセット要求を送出するよう構成することができる。
【発明の効果】
【００１８】
以上、説明したように、本発明のエネルギー量表示装置によれば、計時部が計時している現在時刻が変更操作されても、変更後の正しい現在時刻に基づいて記憶部に記憶された複数のエネルギー量に関する情報を各時刻帯に順次割り当てることで各時刻帯毎のエネルギー量を算出でき、時刻合わせによって特定の時刻帯のエネルギー量が０になるなどの不具合が生じず、各時刻帯毎のエネルギー量の表示を精度良く行うことができる。
【図面の簡単な説明】
【００１９】
【図１】本発明の一実施形態に係る給湯システムの概略構成を示し、（ａ）は概略配線図、（ｂ）は制御ブロック構成図である。
【図２】同システムのリモコンにおける今日の時刻帯別ガス使用量の表示例を示す表示画面構成図である。
【図３】細分化情報記憶部及び最新情報記憶処理部の構成並びに動作を示すメモリ構成図である。
【図４】時刻帯別エネルギー量演算部の演算処理動作を説明するための動作説明図である。
【図５】図４に示す状態から現在時刻が変更されたときの時刻帯別エネルギー量演算部の演算処理動作を説明するための動作説明図である。
【図６】他のエネルギー量表示への適用例を示す表示画面構成図である。
【発明を実施するための形態】
【００２０】
以下、本発明の好適な実施形態を図面に基づいて説明する。
【００２１】
図１は、本発明の一実施形態に係るエネルギー量表示装置として機能するリモコン１と、ガス燃焼方式により給湯動作を行う給湯器２とを備える給湯システムの概略構成を示しており、（ａ）は概略配線図、（ｂ）は制御ブロック構成図として示している。この給湯システムは、リモコン１の操作によって給湯器２の給湯動作の開始や終了を指示したり、給湯温度の設定操作などの各種操作を行えるように構成されている。
【００２２】
給湯器２は、給湯動作を制御するための制御部２１と、給湯動作に使用したガス使用量を検出するガス量センサ２２と、給湯動作に使用した水道使用量を検出する水量センサ２３とを備え、制御部２１は、これらセンサ２２，２３の検出信号に基づいてガス使用量の積算値並びに水道使用量の積算値を制御部２１に具備されたＲＡＭなどの積算量記憶部２４にそれぞれ記憶するよう構成されている。給湯器２の制御部２１には時計機能は備えられておらず、リモコン１からの指令によって積算量記憶部に記憶した各積算値をリモコン１に送出したり、積算量記憶部のリセットを行うよう構成されている。なお、ガス量センサ２２を設けずに、制御部２１が、給湯器２における給湯要求熱量または出力熱量に基づいて単位時間当たりの燃料ガス使用量を演算して、演算された単位時間当たりの燃料ガス使用量を積算することによって、ガス使用量の積算値を求めるよう構成することもできる。
【００２３】
リモコン１と給湯器２の制御部２１とは二芯通信線等の適宜の通信手段を介して通信可能に接続されている。本実施形態のリモコン１は、例えば指定した日付のガス使用量を図２に示すように０時から２４時までの１時間毎の時刻帯別にグラフ表示する表示部１１と、表示部１１の表示制御をはじめリモコン１における種々の制御を行う制御部１２と、制御部１２に対して各種操作を行うために前面パネルに設けられた複数のスイッチとを備えている。
【００２４】
制御部１２は、１月１日０時０分から１２月３１日２４時００分までの月日時分の情報を含む現在時刻を計時する計時部１３と、表示部１１に表示するガス使用量の時間区分よりも短い例えば１５分（所定の積算時間）毎のガス使用量に関する情報を２４時間分時系列順に記憶可能な細分化情報記憶部１４（図３参照）と、計時部１３が計時する現在時刻に基づいて１５分経過したと判定する毎に（例えば、毎時０分、１５分、３０分、４５分になる毎に）給湯器２の制御部２１からガス使用量の積算値を受信するとともに給湯器２に対して積算量記憶部２４のリセット指令を送出して、当該積算時間分の積算値情報を細分化情報記憶部１４に最新のものとして記憶させる最新情報記憶処理部１５と、細分化情報記憶部２４に記憶された１５分毎２４時間分のガス使用量に関する複数の積算値情報と計時部１３が計時する現在時刻とに基づいて表示部１１に表示させるための時刻帯毎のエネルギー量を算出する時刻帯別エネルギー量演算部１６とを備えている。制御部１２は、典型的にはＣＰＵ及びＥＥＰＲＯＭなどの記憶手段を具備するマイコンにより構成でき、上記各制御構成１３〜１６は所定のプログラムを実行するＣＰＵによって構成されていてもよいし、専用回路によって構成することもできる。
【００２５】
計時部１３は、リモコン１の前面パネルに配置した各種操作部の操作によって現在時刻の設定操作が可能に構成されている。なお、計時部１３は、年情報をも含めて計時するものであってもよく、また、月日情報を計時しなくてもよい。
【００２６】
細分化情報記憶部１４は、ＥＥＰＲＯＭなどの書換可能な不揮発性メモリによって構成することが好ましい。本実施形態の細分化情報記憶部１４は、１５分毎２４時間分の計９６個の積算値情報を記憶可能なメモリ領域によって構成され、各メモリ領域にはインデックスアドレスが割り当てられている。このインデックスアドレスは時刻帯と関連付けられたものではなく、複数の積算値情報の時系列順を管理するものにすぎない。したがって、例えばアドレス０１番地が０時０分から０時１５分までの積算値情報になるとは限らず、アドレス番地と時刻とは無関係なものである。
【００２７】
最新情報記憶処理部１５は、最新の積算値情報を記憶させるメモリ領域のインデックスアドレスを指定するためのアドレスレジスタを備えており、毎時１５分になる毎に次の処理を行う。（１）給湯器２の制御部２１からガス使用量の積算値を受信するとともに給湯器２に対して積算量記憶部のリセット指令を送出する。（２）受信した最新の積算値情報をアドレスレジスタが指定するインデックスアドレスのメモリ領域に上書き保存する。（３）アドレスレジスタをインクリメントして、アドレス９７番地になった場合はアドレス０１番地に設定する。（４）アドレスレジスタが指定するアドレスのメモリ領域に最新情報位置識別データ（例えば−１など）を上書き保存して、次の１５分経過を待機する。この最新情報位置識別データは、例えば停電等によってアドレスレジスタが一時的にクリアされてしまった場合などに、再起動後に最新の積算値情報を記憶すべきアドレスを探索するのに役立つ。
【００２８】
図３に示す例では、アドレス９３番地から積算値情報の記憶が開始され、アドレス１８番地に最新の積算値情報ｖを書き込んだ状態を示している。アドレス１７番地には１５分前に積算値情報ｕが記憶され、アドレス１６番地には３０分前に積算値情報ｔが記憶され、このようにして順次過去の積算値情報が時系列順に記憶されている。
【００２９】
計時部１３の現在時刻はユーザーの設定操作によって任意に変更されるものであるが、計時部１３が計時する現在時刻が変更された場合でも、上記処理（１）〜（４）を継続することにより、現実の時間経過の時系列順に１５分毎の複数の積算値が細分化情報記憶部１４に順次記憶されていく。なお、例えば５時３１分から５時２９分に時刻修正された場合などは、５時３０分になった時点で１５分が経過したと判定されて上記処理が実行されるため、実質的には２分間分のみの積算値が最新のものとして記憶されることとなる。
【００３０】
１５分の経過判定は、計時部１３とは別に設けた１５分タイマーによって行わせることもできる。１５分タイマーは、計時部１３とは別の水晶発振器により計時動作するものでもよく、計時部１３の分情報のインクリメントに連動して分をカウントするものであってもよい。このような１５分タイマーを設けることによって、計時部１３の現在時刻が修正された場合でも、常に１５分間隔で最新の積算値情報を細分化情報記憶部１４に記憶させていくことができる。
【００３１】
時刻帯別エネルギー量演算部１６は、ユーザーによって所定の操作が行われた場合や、現在時刻が２４時になった場合や、現在時刻の修正操作がなされた場合など、所定の時刻帯別エネルギー量算出要求がなされたタイミングで、現在時刻が属する日付の現在時刻以前の各時刻帯毎のエネルギー量を細分化情報記憶部に記憶された複数の積算値情報に基づいて算出するよう構成されている。具体的には、例えば図４には、現在時刻が５時３１分であるときの算出処理例を示している。本実施形態では、エネルギー量算出要求が生じると、給湯器の制御部２１との通信によって、制御部２１が積算しているガス使用量の積算値情報αを読み取って、アドレスレジスタが示すアドレス番地にコピーするように構成されており、このとき給湯器の積算値記憶部２４のリセットは行わない。また、図４に示す状態では、アドレスレジスタはアドレス１９番地に設定されており、アドレス１８番地以前のメモリ領域に過去の積算値情報が記憶保持されている。したがって、アドレスレジスタが示すアドレス１９番地は現在時刻である５時３１分が属する積算時間であると判定され、その一つ前のアドレス１８番地は５時１５分〜５時３０分に対応するものと判定し、以下順次アドレスが一つデクリメントされる毎に１５分前の積算時間に対応するものと判定することで、各積算値情報が属する時刻帯を判定する。図４に示す例では、アドレス９３番地〜９６番地が０時帯（０時００分〜１時００分）、アドレス０１番地〜０４番地が１時帯、アドレス０５番地〜０８番地が２時帯、アドレス０９番地〜１２番地が３時帯、アドレス１３番地〜１６番地が４時帯、アドレス１７番地〜１９番地が５時帯と判定して、同じ時刻帯に属する積算値情報を加算することにより各時刻帯のガス使用量を算出する。算出された各時刻帯毎のガス使用量は、ＥＥＰＲＯＭの別の記憶領域に設けられた日別エネルギー量記憶部に記憶することができ、ユーザーによる表示要求操作がなされた場合には算出された各時刻帯毎のガス使用量に基づいて図２に示すようにグラフ表示を行わせることができる。
【００３２】
ここで、ユーザーの操作により計時部１３の現在時刻が５時０１分に修正された場合、図５に示すように、アドレス１９番地は５時００分〜５時１５分に対応するものと判定され、アドレス１８番地は４時４５分〜５時００分に対応するものと判定され、順次同様に各アドレス番地が属する時刻範囲を判定することとなり、したがって、アドレス９５番地〜０２番地が０時帯、アドレス０３番地〜０６番地が１時帯、アドレス０７番地〜１０番地が２時帯、アドレス１１番地〜１４番地が３時帯、アドレス１５番地〜１８番地が４時帯、アドレス１９番地が５時帯に属するものと判定されて、各時刻帯に属する４つの積算値情報が合算されて各時刻帯におけるガス使用量が算出される。なお、このとき、アドレス９３番地及び９４番地に記憶されている情報ａ，ｂは破棄してもよく、また、前日の２３時帯のガス使用量として前日のデータに加算することもできる。
【００３３】
このように、本実施形態によれば、細分化情報記憶部には、表示のための時間区分である各時刻帯をさらに４つに細分化して１５分毎の積算値情報を時系列順に記憶しておくことで、必要な場合に現在時刻と時系列順の積算値情報とに基づいて各時刻帯毎のエネルギー量を算出することができ、現在時刻が大きく変更設定された場合でも、特定の時刻帯の情報が０になることを回避して、複数の積算値情報を正しい現在時刻に基づいて正しい時刻帯に再割り当てすることができ、各時刻毎のエネルギー量の算出精度を向上できる。
【００３４】
本発明は上記実施形態に限定されるものではなく、適宜設計変更することができる。例えば、上記実施形態では細分化情報記憶部は予め確保されたメモリ領域により構成してアドレス指定により参照可能な構成としたが、配列変数その他適宜の構成とすることができる。また、上記実施形態ではアドレスレジスタをインクリメントしていくことにより最新の積算値情報を記憶すべきメモリ領域を順次変えていくようにしたが、最新の積算値情報を登録するメモリ領域を固定して、最新の積算値情報を登録するときに既に記憶されている過去の情報を記憶するメモリ領域を一つずつシフトしていってもよい。また、上記実施形態ではガス使用量の表示処理について説明したが、水道使用量についても同様の方法で算出することができる。さらに、図６（ａ）に示す家庭内の使用電力量の表示、図６（ｂ）に示す発電システムの発電量の表示、図６（ｃ）に示す発電システムの売電電力量の表示、図６（ｄ）に示すお湯使用量の表示など、適宜のエネルギー量の表示に適用できる。また、上記実施形態では計時部１３、細分化情報記憶部１４、最新情報記憶処理部１５及び時刻帯別エネルギー量演算部１６をリモコン１に具備させたが、給湯器２の制御部２１にこれら制御構成の全部又は一部を具備させることもできるし、また、リモコン１や給湯器２以外の別のエネルギー測定ユニットやタブレット型エネルギー量表示装置などに具備させることも可能である。
【００３５】
また、上記実施形態では、指定した日付の１時間毎２４時間分のガス使用量を各時刻帯毎にグラフ表示する例を示したが、図６（ｄ）に示すように、指定した年度の月毎の１２ヶ月分のお湯使用量を各月毎にグラフ表示させることも可能である。この場合、表示部に表示するための時刻帯は、１月帯〜１２月帯までの月単位の１２個の時刻帯となり、各積算時間は２４時間（１日間）として３６５日分の各日毎のお湯使用量を細分化情報記憶部に記憶させることもできるし、各積算時間を１時間として８７６０時間分の各時刻帯毎のお湯使用量を細分化情報記憶部に記憶させることもできる。
【符号の説明】
【００３６】
１  エネルギー量表示装置（リモコン）
１１  表示部
１３  計時部
１４  細分化情報記憶部
１５  最新情報記憶処理部
１６  時刻帯別エネルギー量演算部
２  給湯器
【図１】
2017026241.tif 000003
【図２】
2017026241.tif 000004
【図３】
2017026241.tif 000005
【図４】
2017026241.tif 000006
【図５】
2017026241.tif 000007
【図６】
2017026241.tif 000008